(57)【要約】【課題】  流下式粘度計の測定を、片手で操作、測定できるようにして、他方の手で塗料容器を支持したり、その他の作業に使用することができるように改善する。【解決手段】  容器下端に配置した流出口から塗料を自由落下させ、その流出時間で粘度を測定する流下式粘度計に設けられた取手の上端部を着脱自在に固定するホルダー本体を設け、このホルダー本体にストップウォッチを取り付ける構成とする。ホルダー本体は、粘度計の容器上部につけられた取手の上端部をワンタッチで着脱自在にとりつけ、取り外しできる装着部を形成する。ストップウォッチを取り付けるベースは、前記ホルダー本体とはストップウォッチの表示面の角度が自在になる回転軸で接続するように構成し、またホルダー本体にはフックを設けて使用性を向上する。【選択図】  図１
2009154098.tif 000002
【特許請求の範囲】
【請求項１】
容器上端部に長く延びた取手を設け、塗料中に没した容器部を引き上げて容器下端に配置した流出口から塗料を自由落下させ、その流出時間で粘度を測定する流下式粘度計の前記取手の上端部を着脱自在に固定するホルダー本体と該ホルダー本体にストップウォッチを取り付けてなる粘度計の計時装置ホルダー。
【請求項２】
前記ホルダー本体に粘度計の取手を取り付ける手段は、取手をホルダー本体に嵌め込み若しくは挿入し、ワンタッチで固定・離脱できる装着部が形成されてなる請求項１の粘度計の計時装置ホルダー。
【請求項３】
前記ホルダー本体にストップウォッチを取り付けるベースは、該ストップウォッチの表示面の角度が自在になる回転軸で接続されている請求項１の粘度計の計時装置ホルダー。
【請求項４】
前記ホルダー本体にフックを固定してなる請求項１の粘度計の計時装置ホルダー。
【発明の詳細な説明】
【技術分野】
【０００１】
本発明は、塗料粘度確認のため、塗装現場で簡易的に測定する粘度計を合理的に使用する技術に関するものである。
【背景技術】
【０００２】
塗装においては、その仕上がりを左右する重要な条件の一つとして、使用する塗料粘度があげられる。液体塗料の場合、最終的に塗膜を形成しないシンナーにより塗装の条件に応じた塗料粘度の調整が行われるため、全ての塗装手段によって厳密な管理が要求されている。特にスプレー塗装においては噴霧の性能から、塗膜形成過程における変化、最終塗膜性能に大きく影響するため塗装管理上の重要な条件の一つとなっている。
商品の最終仕上げ状態が商品価値を大きく左右する工業塗装においては、この仕上がりの品質を維持する上で欠かすことができない管理事項として常に確認が行われている状況がある。
【０００３】
塗料粘度の確認は、種々の計測器によって行われ、量産体制下の自動塗装制御においては、塗料供給系に組み込んだ粘度計測器により常時監視され、調整制御される構成を備えたり、定期的に試料を抽出し計測器で計測する工程を設けたりしている。
日常における塗料粘度を測定し、確認する手段として、現場においてよく使用されるものに流下式の簡易粘度計がある。この粘度計は、定量が入る容器の上部に長く延びた取手を有し、下端に流出口を設けたもので、試料である塗料が入った塗料容器の塗料液中に、上記容器部分を沈め、ついで取手を引き上げ容器を持ち上げた時より塗料が流出し、その中の塗料が流出し終わるまでの時間を計測して塗料粘度とするものである。
【０００４】
塗料容器内の塗料をそのままの状態で簡単に測定できることから、多くの塗装現場で古くより日常的に使用されているが、測定するためには、通常５０ｍｍ程度ある容器が完全に塗料中に沈むだけの塗料が必要となる。したがって塗料が少ない場合や容器中の塗料が減少してきた場合には測定ができなくなることになる。
【０００５】
一方測定に当たっては、通常粘度計を片手に持ち、静かに塗料中に沈めた後、もう一方の手に持ったストップウォッチを操作し、塗料中から粘度計を引き上げると同時にスタートのボタンを押し、流出口から塗料の流出が停止する時間を計測することになる。したがって測定時には作業者の両手がふさがることになる。
【０００６】
通常容器内に十分あった塗料を測定し確認後、塗装を続行し、徐々に塗料が減少してきた場合、塗料は性状の変化が起こりやすく、塗装の条件に影響を及ぼさないように確認する必要性が高くなる。この時少なくなった塗料は塗料容器を傾ければ、図に示されるように十分粘度計も容器を塗料中に沈めることができ、有効に最小限の塗料でも測定、確認ができる。
【０００７】
上記のように、測定しようとする塗料が少なくなった場合は、塗料を小さい容器に入れ替えたり、容器を傾斜させるため他の人の手を借りたり不安定な状態に容器を一時的に傾斜固定するなどの必要があり、作業性に非効率な点が潜在していた。このような状況は塗装量が比較的少ない場合や、塗装条件を見極め設定するために試験的に少量の塗料を使用して行う場合などに多く生じていたが、改善するに至っていなかった。
【発明の開示】
【発明が解決しようとする課題】
【０００８】
これまで作業者が両手を使用しなければならなかった流下式粘度計の測定を、片手で操作、測定できるようにして、他方の手で塗料容器を支持したり、その他の作業に使用することができるように改善、塗料容器中の塗料の量が少なかったり、減少してきた場合においても、これまでより少ない量まで測定・確認ができるようにすることを本発明の課題としている。
【課題を解決するための手段】
【０００９】
本発明は、容器下端に配置した流出口から塗料を自由落下させ、その流出時間で粘度を測定する流下式粘度計に設けられた取手の上端部を着脱自在に固定するホルダー本体を設け、このホルダー本体にストップウォッチを取り付けるよう構成している。ホルダー本体は、粘度計の容器上部につけられた取手の上端部をワンタッチで着脱自在にとりつけ、取り外しできる装着部を形成する。
【００１０】
ストップウォッチを取り付けるベースは、前記ホルダー本体とはストップウォッチの表示面の角度が自在になる回転軸で接続するように構成し、またホルダー本体にフックを設けて、さらに使用上の利便性を高めることができる。
【発明の効果】
【００１１】
上記の構成によれば、ストップウォッチを手に握った時、ホルダーに固定される粘度計を保持、操作できることになり、ストップウォッチを操作する手で粘度計を塗料容器中に沈め、引き上げながら計測スタートボタンを押すことができるため、片手での測定が可能になる。このため、もし塗料容器中の塗料が少なく、塗料容器を傾斜させなければ測定できなかった場合でも、他方の空いた手で塗料容器を傾け、測定を行うことができるようになる。
測定が片手でできるようになることで、測定中の不意の出来事に対応することや、測定中に塗料の泡立ち防止や撹拌などの作業ができることになる。
【００１２】
またホルダーにより、粘度計と測定に不可欠のストップウォッチを常に一体に保管しておくことで、管理の容易化を可能にし、測定時に一方が見当たらず探すといった状況を無くすことができる。さらにワンタッチで着脱ができることで、粘度計の洗浄時には必要な部分のみを容易に取り外し、洗浄することができる。その他の効果は、以下実施の形態の中で説明する。
【発明を実施するための最良の形態】
【００１３】
本発明の実施形態の詳細は以下図面により説明する。図１は粘度計とストップウォッチをホルダーにセットした状態の全体を、一部を断面して示す正面図で塗料容器から引き上げて測定中の位置関係を示している。図２は図１のホルダー部分を側面から見た説明図である。粘度計１は、容器１１、取手１２で構成され、容器１１の下部は濾斗部１３が形成され下端部に流出口１４を形成している。上端はそのまま開口し、外側に取付ボス部１５を形成して、前記取手１２の逆Ｕ字形に延びた２つの下端部１６がビス１７により取り付けられている。この取付けは容器１１が自由に動き流出口１４が垂下するように回転自在に止められている。
【００１４】
取手１２は逆Ｕ字形に延びた上端１８がホルダー2に装着固定される構成としている。ホルダー２はホルダー本体２１とストップウォッチ３を取付けるベース２２が回転軸２３により図１の前後方向に回転自在とし、ベース３に取り付けて正面を向けたストップウォッチ３の表示面32が、回転により水平すなわち上方向に向くように構成されている。回転軸止手段はボルト・ナットで結合させ、すべり座金を介装することによって回転を自在とし構成しているが、これに限定されること無く、公知の回転軸止手段を採用しても差し支えない。
【００１５】
またこのときの回転角度範囲は、図２の側面を示すようにホルダー本体２１側か、ベース２２側のいずれかにピン２４と他方にストッパカム部２５を設け、回転を規制し適当な位置でストップするように構成している。この構成手段も図示された構成に限らず他の回転禁止手段を用いることが可能である。本実施例ではベース２２側が図２の位置に対し、約６０度傾斜した位置で停止し、ストップウォッチ３を握り、計時を確認する時に都合の良い角度でストップウォッチ３の表示面３２を向けることができる。
【００１６】
ホルダー本体２１に粘度計１の上端１８を固定する構成は、ホルダー本体２１に設けた側板２６と前部カバー２７によって一点鎖線で示すように移動でき、ホルダー本体２１に嵌めた後、下方に下げて前部カバー２７内に挿入することによって固定する構成としている。取手１２の上端１８の円弧部が前部カバー２７に固定したポスト２８で停止位置が固定され、これによって取手１２上部は両側板２６と前部カバー２７により固定される。
【００１７】
ストップウォッチ３は、把持しやすい取付けを可能にした形状として、ベース２２から粘度計１の中心方向に延ばした装着腕２９に適宜装着される。装着手段は使用するストップウォッチ３の構成によるが、通常紐などを通す穴が設けられており、実施例でも、これにピン３３を通して固定するよう構成している。ホルダー２は、ホルダー本体２１の背面側にフック３０が設けられ、塗料缶などの縁に一時的に、また簡易的に掛けられるように構成することで現場での使用上の利便性を向上することができる。尚、本実施例ではストップウォッチ３はホルダー２に着脱可能な形態を図示したが、他の実施例としてストップウォッチ３はホルダーと一体化されたものでも良い。
【００１８】
以上の構成による粘度計を使用して、塗料粘度を測定する場合、図３で理解できるように、まず塗料容器中の塗料に粘度計の容器１１を沈めるが、このとき粘度計は図４のように把持されたストップウォッチ３と一体に固定され、容器１１は塗料の液面に対し斜めに傾けて投入することができる。これによって容器１１内に徐々に塗料を流入させ、垂直に沈めようとしたときに一気に容器１１内に流入する塗料がその勢いで跳ね返り、周囲を汚損する危険性を防止することができる。
【００１９】
次に粘度計を引き上げて測定を開始する際、引き上げと同時に、同じ手の指でストップウォッチ３の計時スタートボタン３１を押すことができるのは当然理解できることであるが、さらにストップウォッチ３は、把持しやすい位置方向で装着腕２９に取り付けられており、中心軸方向に延びていることでストップウォッチ３を軽く把持すれば粘度計１の自重により自然と垂下し、流出口１４は鉛直に置かれ、測定の信頼性を確保することができる。
【００２０】
測定後は逆に取手１２を上方に持ち上げ、手前に引くことによってワンタッチでホルダー２より、粘度計１を取り外すことができ、粘度計１のみを洗浄することができる。粘度計１は再びホルダー２に取付けておくことで一括管理でき、必要な時に直ちに測定に入ることができる。
このように塗料粘度の測定を片手で行うことができるため、現場における簡易粘度計として適しており、前述の如く、塗料が少なくなった場合においても、塗料の入った容器をもう一方の手で傾斜させ、支障なく塗料粘度を測定することができる効果がある。一方で、ストップウォッチ３の表示面３２は固定されることになるが、回転軸によって表示面３２の角度が自由になっていて、表示面を見やすい方向に向けても粘度計１は垂下する状態を維持でき、測定のしやすさが向上する。
【図面の簡単な説明】
【００２１】
【図１】本発明の計時装置ホルダーに粘度計とストップウォッチを取り付け、粘度を測定する状態を示した全体構成図を示す。
【図２】図１を側面から見た、取手を装着する時の説明図である。
【図３】容器を傾けて粘度測定する場合を説明する概略説明図である。
【図４】ストップウォッチを把持し測定する時の状態を示す斜視図である
【符号の説明】
【００２２】
１、粘度計
２、ホルダー
３、ストップウォッチ
１１、容器
１２、取手
１３、濾斗部
１４、流出口
１5、取付ボス部
１6、下端部
１７、ビス
１８、上端
２１、ホルダー本体
２２、ベース
２３、回転軸
２４、ピン
２５、ストッパカム部
２６、側板
２７、前部カバー
２８、ポスト
２９、装着腕
３０、フック
３２、表示面
【図１】
2009154098.tif 000003
【図２】
2009154098.tif 000004
【図３】
2009154098.tif 000005
【図４】
2009154098.tif 000006